【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
被写体像を撮像する撮像部と、
前記撮像部を制御して静止画を得る撮像制御部と、
前記静止画を所定期間再生するフリーズ動画データを作成する画像処理部と、
音声を収集して音声データを作成する音声収集部と、
前記音声収集部から、前記静止画の撮像時点を含む期間の音声データを取得し、前記音声データを前記フリーズ動画データに同期再生可能に付加する音声処理部と
を備えたことを特徴とするデジタルカメラ。
【請求項２】
請求項１に記載のデジタルカメラにおいて、
前記画像処理部は、所定の動画ファイル規格に準拠したデータ形式で、前記静止画を所定期間再生するフリーズ動画データを作成する
ことを特徴とするデジタルカメラ。
【請求項３】
請求項１ないし請求項２のいずれか１項に記載のデジタルカメラにおいて、
前記撮像制御部は、前記静止画の撮像時点に先行して前記撮像部を制御して動画データを生成し、
前記画像処理部は、前記動画データ／前記フリーズ動画データの再生順に連結編集した動画ファイルを生成する
ことを特徴とするデジタルカメラ。
【請求項４】
請求項１ないし請求項２のいずれか１項に記載のデジタルカメラにおいて、
前記撮像制御部は、前記静止画の撮像時点に後続して前記撮像部を制御して動画データを生成し、
前記画像処理部は、前記フリーズ動画データ／前記動画データの再生順に連結編集した動画ファイルを生成する
ことを特徴とするデジタルカメラ。
【請求項５】
請求項３または請求項４に記載のデジタルカメラにおいて、
前記フリーズ動画データと前記動画データとの再生切り換え時点に対して同期再生可能に、予め定められた効果音声データを前記動画ファイルに付加する効果音声処理部を備えた
ことを特徴とするデジタルカメラ。
【請求項６】
請求項３ないし請求項５のいずれか１項に記載のデジタルカメラにおいて、
前記フリーズ動画データと前記動画データとの再生切り換え時に挿入するよう、予め定められた切り換え効果用画像を前記動画ファイルに付加する効果画像処理部を備えた
ことを特徴とするデジタルカメラ。
【請求項７】
請求項３ないし請求項６のいずれか１項に記載のデジタルカメラにおいて、
前記撮像制御部は、
前記撮像部から減数読み出しを行うことにより前記動画データを作成し、
前記撮像部から高解像度読み出しで得た前記静止画を解像度変換することにより、前記動画データに画素数を合わせた前記フリーズ動画データを作成する
ことを特徴とするデジタルカメラ。
【請求項８】
請求項３ないし請求項６のいずれか１項に記載のデジタルカメラにおいて、
前記撮像制御部は、
前記撮像部から減数読み出しを行った前記動画データを画素補間により画素数を増やし、
前記撮像部から高解像度読み出しで得た前記静止画を解像度変換することにより、前記動画データに画素数を合わせた前記フリーズ動画データを作成する
ことを特徴とするデジタルカメラ。
【手続補正２】
【補正対象書類名】明細書
【補正対象項目名】０００５
【補正方法】変更
【補正の内容】
【０００５】
《１》
本発明のデジタルカメラは、撮像部、撮像制御部、画像処理部、音声収集部、および音声処理部を備える。
撮像部は、被写体像の撮像を行う。
撮像制御部は、撮像部を制御して静止画を得る。
画像処理部は、静止画を所定期間再生するフリーズ動画データを作成する。
音声収集部は、音声を収集して音声データを作成する。
音声処理部は、音声収集部から、静止画の撮像時点を含む期間の音声データを取得し、音声データをフリーズ動画データに同期再生可能に付加する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
《３》
なお好ましくは、撮像制御部は、静止画の撮像時点に先行して撮像部を制御して動画データを生成する。画像処理部は、このように作成された動画データ／フリーズ動画データ
を、この再生順に連結編集して動画ファイルを生成する。
【手続補正５】
【補正対象書類名】明細書
【補正対象項目名】０００９
【補正方法】変更
【補正の内容】
【０００９】
《４》
また好ましくは、撮像制御部は、静止画の撮像時点に後続して撮像部を制御して動画データを生成する。画像処理部は、このように生成されたフリーズ動画データ／動画データをこの再生順に連結編集して動画ファイルを生成する。
【手続補正６】
【補正対象書類名】明細書
【補正対象項目名】００１０
【補正方法】変更
【補正の内容】
【００１０】
《５》
なお好ましくは、本発明のデジタルカメラは、効果音声処理部を備える。
効果音声処理部は、予め定められた効果音声データをフリーズ動画データと動画データとの再生切り換え時点に同期再生するように、効果音声データを動画ファイルに付加する。
【手続補正７】
【補正対象書類名】明細書
【補正対象項目名】００１１
【補正方法】変更
【補正の内容】
【００１１】
《６》
また好ましくは、本発明のデジタルカメラは、効果画像処理部を備える。
効果画像処理部は、予め定められた切り換え効果用画像をフリーズ動画データと動画データとの再生切り換え時に挿入して再生するように、切り換え効果用画像を動画ファイルに付加する。
【手続補正８】
【補正対象書類名】明細書
【補正対象項目名】００１２
【補正方法】変更
【補正の内容】
【００１２】
《７》
また好ましくは、撮像制御部は、撮像部から減数読み出しを行うことにより動画データを作成する。また、撮像制御部は、撮像部から高解像度読み出しで得た静止画を解像度変換することにより、動画データに画素数を合わせたフリーズ動画データを作成する。
【手続補正９】
【補正対象書類名】明細書
【補正対象項目名】００１３
【補正方法】変更
【補正の内容】
【００１３】
《８》
なお好ましくは、撮像制御部は、撮像部から減数読み出しを行った動画データを画素補間により画素数を増やす。また、撮像制御部は、撮像部から高解像度読み出しで得た静止画を解像度変換することにより、動画データに画素数を合わせたフリーズ動画データを作成する。
【手続補正１０】
【補正対象書類名】明細書
【補正対象項目名】００１４
【補正方法】変更
【補正の内容】
【００１４】
［１］
本発明では、撮像部を制御して静止画を作成し、その静止画を所定期間再生する動画ファイル（フリーズ動画データ）を作成する。また、本発明では、フリーズ動画データの同期再生用の音声として、静止画撮像時の音声データをフリーズ動画データに付加する。このフリーズ動画データは、動画専用の再生機器において、通常の動画と同様に再生することができる。したがって、動画専用の再生機器であっても、静止画を確実かつ簡易に再生することが可能になる。また、このフリーズ動画データにより、静止画と、静止画撮像時の音声とを一緒に再生することが可能になり、より臨場感に溢れた静止画鑑賞が可能になる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
［３］
なお、静止画の撮像時点に先行するタイミングで、通常の動画撮影を実施し、動画デー
タを生成してもよい。このとき、先行する動画データと、後続して撮像されるフリーズ動画データをこの順番に連結編集することによって、１つの動画ファイルにまとめることが好ましい。
この連結された動画ファイルであれば、特許文献１の関連付けファイルを必要とせずに、通常の再生機器を用いて動画と静止画の関連付け再生を実現できる。
【手続補正１３】
【補正対象書類名】明細書
【補正対象項目名】００１８
【補正方法】変更
【補正の内容】
【００１８】
［４］
また、静止画の撮像時点に後続するタイミングで、通常の動画撮影を実施し、動画データを生成してもよい。このとき、先行する静止画データと、後続して撮像される動画データをこの順番に連結編集することにより、１つの動画ファイルにまとめることが好ましい。
この動画ファイルは、特許文献１の関連付けファイルを必要とせずに、通常の再生機器を使用して、静止画と動画との関連付け再生が実現する。
【手続補正１４】
【補正対象書類名】明細書
【補正対象項目名】００１９
【補正方法】変更
【補正の内容】
【００１９】
［５］
なお、本発明では、フリーズ動画データと動画データとの再生切り換え箇所に、効果音声データを付加することが好ましい。このような音声付加により、動画再生中における静から動への切り換え、あるいは動から静への切り換えを明確に印象付けるなど、演出効果を付加した動画ファイルを作成することができる。
【手続補正１５】
【補正対象書類名】明細書
【補正対象項目名】００２０
【補正方法】変更
【補正の内容】
【００２０】
［６］
また、本発明では、フリーズ動画データと動画データとの再生切り換え箇所に、切り換え効果用画像を挿入することが好ましい。このような画像挿入により、動画再生中における静から動への切り換え、あるいは動から静への切り換えを明確に印象付けるなど、演出効果を付加した動画ファイルを作成することができる。
【手続補正１６】
【補正対象書類名】明細書
【補正対象項目名】００２１
【補正方法】変更
【補正の内容】
【００２１】
［７］
ところで、通常の動画データと、フリーズ動画データの解像度が異なっている場合、両データの再生にあたって表示解像度の切り換えが頻繁に生じてしまう。この表示解像度の切り換えにより、動画からフリーズ動画、またはフリーズ動画から動画への円滑な変化が阻害される。
そこで、本発明では、撮像部から減数読み出しを行うことにより動画データを作成する一方、高解像度読み出しで得た静止画を解像度変換してフリーズ動画データを作成することが好ましい。このような処理により、両データの表示解像度を近づけ、表示解像度の切り換えを回避または目立たなくすることができる。
【手続補正１７】
【補正対象書類名】明細書
【補正対象項目名】００２２
【補正方法】変更
【補正の内容】
【００２２】
［８］
また、撮像部から減数読み出しを行った動画データを画素補間により画素数を増やす一方、高解像度読み出しで得た静止画を解像度変換することも好ましい。このような処理によっても、両データの表示解像度を近づけ、表示解像度の切り換えを回避または目立たなくすることができる。